Podtech/llm-jp-corpus-v4-ja_patent huggingface dataset:
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
フルオロアルキルシリル表面改質ナノ粒子の水性分散系を含んでなる組成物であって、ここでナノ粒子はシリカ、チタニア、ジルコニア、層状（ｌａｙｅｒｅｄ）ケイ酸マグネシウム、アルミノシリケート、天然クレー、合成クレー及びそれらの混合物より成る群から選ばれる少なくとも１つのメンバーを含み、且つここでフルオロアルキルシリルは：
（Ｆ（ＣＦ2）nＣＨ2ＣＨ2）mＳｉ（Ｏ−）p
であり、
式中、ｎは２、３又は４であり、
式中、ｐは１、２又は３であり、且つ
式中、ｍは（４−ｐ）である
組成物。
【請求項２】
フルオロアルキルシリル表面改質ナノ粒子の製造方法であって：
（ｉ）シリカ、チタニア、ジルコニア、層状ケイ酸マグネシウム、アルミノシリケート、天然クレー、合成クレー及びそれらの混合物より成る群から選ばれる少なくとも１つのメンバーの水性分散系を調製し；
（ｉｉ）水非混和性フルオロアルキルシラン試薬を水性分散系に加えて不均一な混合物を形成し、ここでフルオロアルキルシラン試薬は：
（Ｆ（ＣＦ2）nＣＨ2ＣＨ2）mＳｉ（Ｏ−Ｒ）p
であり、
式中、ｎは２、３又は４であり、
式中、ｐは１、２又は３であり、
式中、ｍは（４−ｐ）であり、且つ
式中、Ｒはメチル、エチル、ｎ−プロピル、イソプロピル、ｎ−ブチル、イソブチル及び−Ｃ（Ｏ）ＣＨ3より成る群から選ばれ；そして
（ｉｉｉ）不均一な混合物が均一なフルオロアルキルシリル表面改質ナノ粒子の水性分散系になるまでそれを混合する
ことを含んでなる方法。
【請求項３】
基質の少なくとも１つの表面上にフルオロアルキルシリル表面改質ナノ粒子を含んでなり、ここでナノ粒子はチタニア、ジルコニア、層状ケイ酸マグネシウム、アルミノシリケート、天然クレー、合成クレー及びそれらの混合物より成る群から選ばれる少なくとも１つのメンバーを含み、且つここでフルオロアルキルシリルは：
（Ｆ（ＣＦ2）nＣＨ2ＣＨ2）mＳｉ（Ｏ−）p
であり、
式中、ｎは２、３又は４であり、
式中、ｐは１、２又は３であり、且つ
式中、ｍは（４−ｐ）である
改質された基質。
【請求項４】
疎水性且つ汚染耐性である改質された基質の製造方法であって：
（ｉ）フルオロアルキルシリル表面改質ナノ粒子の水性分散系を適用し、ここで該ナノ粒子はシリカ、チタニア、ジルコニア、層状ケイ酸マグネシウム、アルミノシリケート、天然クレー、合成クレー及びそれらの混合物より成る群から選ばれる少なくとも１つのメンバーを含み、且つここで該フルオロアルキルシリルは：
（Ｆ（ＣＦ2）nＣＨ2ＣＨ2）mＳｉ（Ｏ−）p
であり、
式中、ｎは２、３又は４であり、
式中、ｐは１、２又は３であり、且つ
式中、ｍは（４−ｐ）であり；そして
（ｉｉ）基質を乾燥する
ことを含んでなる方法。
【請求項５】
（１）次式：
（Ｆ（ＣＦ2）nＣＨ2ＣＨ2）mＳｉ（Ｏ−）p
を有し、
式中、ｎは２、３又は４であり、
式中、ｐは１、２又は３であり、且つ
式中、ｍは（４−ｐ）である
フルオロアルキルシリルならびに
（２）式：
［Ｈ（ＣＨ2）M］n−Ｓｉ−（Ｏ−）p
を有し、
式中、Ｍは１〜１２の整数であり、
式中、ｐは１、２又は３であり、且つ
式中、ｎは４−ｐである
成分を含んでなる表面改質ナノ粒子を含んでなり；ここでナノ粒子はシリカ、チタニア、ジルコニア、層状ケイ酸マグネシウム、アルミノシリケート、天然クレー、合成クレー及びそれらの混合物より成る群から選ばれる少なくとも１つのメンバーを含んでなる組成物。
【請求項６】
フルオロアルキルシリル表面改質ナノ粒子を含んでなり、ここでナノ粒子はチタニア、ジルコニア、層状ケイ酸マグネシウム、アルミノシリケート、天然クレー、合成クレー及びそれらの混合物より成る群から選ばれる少なくとも１つのメンバーを含んでなり、且つここでフルオロアルキルシリルは：
（Ｆ（ＣＦ2）nＣＨ2ＣＨ2）mＳｉ（Ｏ−）p
であり、
式中、ｎは２、３又は４であり、
式中、ｐは１、２又は３であり、且つ
式中、ｍは（４−ｐ）である
組成物。
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
（ａ）アルファアルミナ、
（ｂ）フュームドアルミナ、
（ｃ）シリカ、
（ｄ）ニッケル−リンを酸化する酸化剤、
（ｅ）０．１質量％〜５質量％のシュウ酸、および
（ｉ）水、
を含んでなる化学機械研磨組成物であって、該化学機械研磨組成物が２〜４のｐＨを有する、化学機械研磨組成物。
【請求項２】
前記研磨組成物が、
（ｆ）０．１質量％〜２質量％の酒石酸、
（ｇ）ノニオン性界面活性剤、または
（ｈ）殺生物剤、
を更に含む、請求項１記載の研磨組成物。
【請求項３】
前記研磨組成物が、０．５質量％〜２質量％のアルファアルミナ、０．１質量％〜１質量％のフュームドアルミナ、および０．５質量％〜２質量％のシリカを含む、請求項１または２記載の研磨組成物。
【請求項４】
前記アルファアルミナが、３００ｎｍ〜８００ｎｍの平均粒子径を有する、請求項１または２記載の研磨組成物。
【請求項５】
前記アルファアルミナが、４００ｎｍ〜６００ｎｍの平均粒子径を有する、請求項４記載の研磨組成物。
【請求項６】
前記フュームドアルミナが、７５ｎｍ〜１５０ｎｍの平均粒子径を有する、請求項１または２記載の研磨組成物。
【請求項７】
前記シリカが、２０ｎｍ〜１２０ｎｍの平均粒子径を有する、請求項１または２記載の研磨組成物。
【請求項８】
前記酸化剤が、過酸化水素である、請求項１または２記載の研磨組成物。
【請求項９】
前記研磨組成物が、０．１質量％〜２質量％の酒石酸を含む、請求項２記載の研磨組成物。
【請求項１０】
前記研磨組成物が、０．１質量％〜０．７５質量％の酒石酸を含む、請求項９記載の研磨組成物。
【請求項１１】
前記研磨組成物が、１質量％〜３質量％のシュウ酸を含む、請求項１０記載の研磨組成物。
【請求項１２】
前記研磨組成物が、更に１０ｐｐｍ〜２５０ｐｐｍのノニオン性界面活性剤を含む、請求項２記載の研磨組成物。
【請求項１３】
前記研磨組成物のｐＨが、２〜３である、請求項１または２記載の研磨組成物。
【請求項１４】
（ｉ）基材を、研磨パッドおよび、
（ａ）アルファアルミナ、
（ｂ）フュームドアルミナ、
（ｃ）シリカ、
（ｄ）ニッケル−リンを酸化する酸化剤、
（ｅ）０．１質量％〜５質量％のシュウ酸、および
（ｉ）水、
を含む化学機械研磨組成物であって、該研磨組成物が２〜４のｐＨを有する化学機械研磨組成物と接触させること、（ｉｉ）該研磨パッドを、該基材に対して、該化学機械研磨組成物をそれらの間に存在させながら動かすこと、ならびに（ｉｉｉ）該基材を研磨するように、該基材の少なくとも一部を研摩すること、を含んでなる、基材の化学機械研磨方法。
【請求項１５】
前記研磨組成物が、
（ｆ）０．１質量％〜２質量％の酒石酸、
（ｇ）ノニオン性界面活性剤、または
（ｈ）殺生物剤、
を更に含む、請求項１４記載の方法。
【請求項１６】
前記研磨組成物が、０．５質量％〜２質量％のアルファアルミナ、０．１質量％〜１質量％のフュームドアルミナ、および０．５質量％〜２質量％のシリカを含む、請求項１４または１５記載の方法。
【請求項１７】
前記アルファアルミナが、３００ｎｍ〜８００ｎｍの平均粒子径を有する、請求項１４または１５記載の方法。
【請求項１８】
前記アルファアルミナが、４００ｎｍ〜６００ｎｍの平均粒子径を有する、請求項１７記載の方法。
【請求項１９】
前記フュームドアルミナが、７５ｎｍ〜１５０ｎｍの平均粒子径を有する、請求項１４または１５記載の方法。
【請求項２０】
前記シリカが、２０ｎｍ〜１２０ｎｍの平均粒子径を有する、請求項１４または１５記載の方法。
【請求項２１】
前記酸化剤が、過酸化水素である、請求項１４または１５記載の方法。
【請求項２２】
前記研磨組成物が、０．１質量％〜２質量％の酒石酸を含む、請求項１５記載の方法。
【請求項２３】
前記研磨組成物が、０．１質量％〜０．７５質量％の酒石酸を含む、請求項２２記載の方法。
【請求項２４】
前記研磨組成物が、１質量％〜３質量％のシュウ酸を含む、請求項２３記載の方法。
【請求項２５】
前記研磨組成物が、更に１０ｐｐｍ〜２５０ｐｐｍのノニオン性界面活性剤を含む、請求項１４記載の方法。
【請求項２６】
前記研磨組成物のｐＨが、２〜３である、請求項１４または１５記載の方法。
【請求項２７】
前記基材が、ニッケル−リンでコーティングされたアルミニウムディスクである、請求項１４または１５記載の方法。
【請求項２８】
前記ディスクが、メモリーディスクである、請求項２７記載の方法。
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
（ａ）シス−１，１，１，４，４，４−ヘキサフルオロ−２−ブテンと１，１，１，３，３−ペンタフルオロプロパンとの混合物；および
（ｂ）２個以上の活性水素を有する活性水素含有化合物
を含む発泡体形成組成物。
【請求項２】
請求項１に記載の有効量の発泡体形成組成物と好適なポリイソシアネートとの反応から製造される独立気泡のポリウレタンまたはポリイソシアヌレートポリマー発泡体。
【請求項３】
請求項１に記載の有効量の発泡体形成組成物を好適なポリイソシアネートと反応させる工程を含む独立気泡のポリウレタンまたはポリイソシアヌレートポリマー発泡体の製造方法。
【手続補正２】
【補正対象書類名】明細書
【補正対象項目名】００７０
【補正方法】変更
【補正の内容】
【００７０】
ポリオール、界面活性剤、触媒、水および発泡剤（８０重量％のＨＦＣ−２４５ｆａおよび２０重量％のＺ−ＦＣ−１３３６ｍｚｚ）を手動によりプレミックスし、次にポリイソシアネートと混合した。生じた混合物を８インチ×８インチ×２．５インチ紙箱に注ぎ込み、ポリウレタンフォームを形成した。発泡体の調合物および特性を下の表１１および１２に示す。
本発明は以下の実施の態様を含むものである。
１．（ａ）シス−１，１，１，４，４，４−ヘキサフルオロ−２−ブテンと１，１，１，３，３−ペンタフルオロプロパンとの混合物；および
（ｂ）２個以上の活性水素を有する活性水素含有化合物
を含む発泡体形成組成物。
２．前記活性水素含有化合物がポリエーテルポリオールである前記１．に記載の発泡体形成組成物。
３．前記ポリエーテルポリオールがマンニッヒ塩基ポリエーテルポリオールである前記２．に記載の発泡体形成組成物。
４．前記活性水素含有化合物がポリエーテルポリオールとポリエステルポリオールとの混合物である前記１．に記載の発泡体形成組成物。
５．前記１．に記載の有効量の発泡体形成組成物と好適なポリイソシアネートとの反応から製造される独立気泡のポリウレタンまたはポリイソシアヌレートポリマー発泡体。
６．前記ポリマー発泡体が７．０フィート2−時間−°Ｆ／ＢＴＵ−インチより大きい初期Ｒ値を有する前記５．に記載の独立気泡のポリウレタンまたはポリイソシアヌレートポリマー発泡体。
７．前記１．に記載の有効量の発泡体形成組成物を好適なポリイソシアネートと反応させる工程を含む独立気泡のポリウレタンまたはポリイソシアヌレートポリマー発泡体の製造方法。
【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
モノマーに、少なくとも１つの阻害剤、及び少なくとも１つの遅延剤組成物を含む組成物の有効量を加えることによる、前記モノマーの未成熟重合を阻害する方法であって、前記阻害剤がアルキルヒドロキシルアミンであり、並びに前記遅延剤が、２，６−ジ−ｔ−ブチル−７−シアノキノンメチド、２，６−ジ−ｔ−ブチル−７−カルボキシキノンメチド、２，６−ジ−ｔ−ブチル−７−メトキシカルボニルキノンメチド、及びそれらの任意の組み合わせよりなる群れより選ばれる７−置換−キノンメチドである方法。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
支持体と光を遮蔽するための層とを備えた布帛であって、前記層は、真珠層或いは、実質的に真珠層の反射光の波長領域に相当し、紫外線波長領域から赤外線波長領域までの範囲で光を回折するか、若しくは真珠光特性を有する物質を備えることを特徴とする布帛。
【請求項２】
前記層は、前記支持体の大部分に含まれていることを特徴とする、請求項１に記載の布帛。
【請求項３】
前記支持体は、不織布であることを特徴とする、請求項１又は２に記載の布帛。
【請求項４】
前記不織布は、全部または一部が、鉱物性の繊維、動物に由来する繊維、植物性繊維、及び／又は化学繊維で構成されていることを特徴とする、請求項３に記載の布帛。
【請求項５】
前記不織布は、リネン（亜麻）の不織布であることを特徴とする、請求項４に記載の布帛。
【請求項６】
前記光を遮蔽するための層は、連続的であることを特徴とする、請求項１乃至５のいずれかに記載の布帛。
【請求項７】
メタリックな粒子、及び／又は研磨された石の粉及び／又は研磨された小石によって製造されるようなメタリックな反射を伴う粒子をさらに備えていることを特徴とする、請求項１乃至６のいずれかに記載の布帛。
【請求項８】
前記光を遮蔽するための層は、さらに、メタリックな粒子及び／又は研磨された石粉を備えることを特徴とする、請求項１乃至６のいずれかに記載の布帛。
【請求項９】
真珠層の溶液中に、１個の支持体を含浸させることからなるステップを有する請求項１乃至８のいずれかに記載の布帛の製造方法。
【請求項１０】
前記真珠層の溶液は、１０〜２０％の真珠層からなる請求項９に記載の布帛の製造方法。
【請求項１１】
請求項１乃至８のいずれかに記載の布帛の使用、又はブラインド用の覆い布、テント用及び衣類用の複数の布帛のような、赤外光を遮断する製品を作成するため、請求項９又は１０に記載の方法によって得られる布帛。
【手続補正２】
【補正対象書類名】明細書
【補正対象項目名】発明の名称
【補正方法】変更
【補正の内容】
【発明の名称】光を遮蔽するための布帛
【手続補正３】
【補正対象書類名】明細書
【補正対象項目名】０００１
【補正方法】変更
【補正の内容】
【０００１】
本発明は、支持体と光を遮蔽するための層とからなる布帛（キャンバス）に係るものであり、特に、前記層は、真珠層、若しくは紫外線（ＵＶ）波長領域から赤外線（ＩＲ）波長領域の範囲で実質的に真珠層の反射光の波長領域と同等に光の回折する又は或いは真珠光特性を有する材料（物質）からなるものである。本発明は、また、前記布帛の製造のための方法、及びブラインド用の覆い布を製造するための布帛の使用に関するものである。
【手続補正４】
【補正対象書類名】明細書
【補正対象項目名】０００９
【補正方法】変更
【補正の内容】
【０００９】
そこで、本発明は、満足できる程度に可視光の透過を許容する一方、赤外光を９８％まで取除くための新しい覆い布を提案することを目的とするものである。本発明は、真珠層による光の回折性及び屈折性に基づいているものである。現行の方法においては、保護（防護）は、同様に可視光も遮断する、メタリックな粒子上での赤外線の反射によって得られる。本発明の布帛によれば、光の回折及び屈折作用によって行う光遮蔽のための一つの層を備えている。ある光線は光源に戻り、またあるもの（光線）は接線方向に光を遮蔽させる前記層に接触することで力を失って軌道がそれる。本発明の製品は、赤外光よりも大きな割合で可視光を通過させる。真珠層は光を遮蔽する機能が著しく、その薄片（断片）の大きさは、目標となる光線や回折光の波長に近いものである。しかも、これらの薄片の無秩序な配置（配列）は、全方向における光線に対して新しい方向を与える。
【手続補正５】
【補正対象書類名】明細書
【補正対象項目名】００１０
【補正方法】変更
【補正の内容】
【００１０】
このように、本発明は、特に一つの支持体と一つの光遮蔽層とを備えた布帛を提供するものであって、前記光遮蔽層は、真珠層、或いは実質的に真珠層と同等のものであって、ＵＶからＩＲの範囲まで、光の回折又は真珠光をもたらす特性を有する材料（物質）、を備えていることに特徴を有する。
【手続補正６】
【補正対象書類名】明細書
【補正対象項目名】００１６
【補正方法】変更
【補正の内容】
【００１６】
本発明の好ましい他の実施形態によれば、光の回折或いは実質的に真珠層の反射光の波長領域と同等である、ＵＶの範囲からＩＲの範囲までの真珠光の特性を有する物質は、少なくとも５０％のアラゴナイト（アラレ石）からなる成分である。
【手続補正７】
【補正対象書類名】明細書
【補正対象項目名】００２０
【補正方法】変更
【補正の内容】
【００２０】
第１の実施形態によれば、本発明に係る布帛は、さらに、メタリックな粒子及び／又は研磨された石の粉からなる、一つの層を含む。この付加的な層は、光遮蔽層に対して、上側或いは下側のどこにでも配置させることができる。第２の実施形態によれば、前記粒子及び／又は研磨された石の粉は、前記光遮蔽層に含めることができる。
かくして、本発明に係る布帛に関連した本発明によれば、前記光遮蔽層が、メタリックな粒子、或いは前記研がれた粉及び／又は小石によって製造されたようなメタリックな反射を伴う粒子、をさらに含むといったところが注目すべき（顕著な）点である。
【手続補正８】
【補正対象書類名】明細書
【補正対象項目名】００２１
【補正方法】変更
【補正の内容】
【００２１】
本発明に係る覆い布によれば、若干の工業的工程によって用意（準備）できる。一つの実施形態によれば、本発明に係る覆い布は、真珠層溶液を支持体に浸み込ませるか、或いは紫外線から赤外線までの実質的に真珠層の反射光の波長領域と同等である光の回折又は真珠光の特性を備えた物質（材料）を注入する、一つのステップからなる方法によって製造される。この浸み込み（注入）は、前記溶液に支持体を浸漬することによって行うことができる。また、それは、前記支持体の表面に前記溶液を噴霧することによって得ることもできる。
【手続補正９】
【補正対象書類名】明細書
【補正対象項目名】００２２
【補正方法】変更
【補正の内容】
【００２２】
もう一つの好ましい実施形態によれば、前記真珠層、又は、ＵＶからＩＲの波長範囲まで、実質的に真珠層の反射光の波長範囲と同等である、光の回折或いは真珠光の特性を有する前記物質は、前記支持体を構成する主要な材料において、前記支持体を形成するのに先立ち、一体化される。麻屑或いは亜麻（リネン）において、粉（粉末）として単純に散布する（広がらせる）真珠層の粉は、使われていないもの（麻屑或いは亜麻（リネン））を梳かす（漉く）ことが非常に良好な結果をもたらすと、いうことがこの分析（試験）中に分かった。
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
組成物であって、
（ｉ）表面コーティング物質、及び
（ｉｉ）架橋酵素結晶又は架橋酵素凝集物であって、酵素が多官能性架橋剤と架橋し、架橋酵素結晶又は架橋酵素凝集物が防汚活性を有する又は防汚化合物を生成することを特徴とする架橋酵素結晶又は架橋酵素凝集物
を含む組成物。
【請求項２】
架橋酵素結晶又は架橋酵素凝集物が、組成物でコーティングされた表面の汚損を低減する又は防止するために有効な量で存在することを特徴とする請求項１に記載の組成物。
【請求項３】
多官能性架橋剤が、アルコール、アルデヒド、イミド、シアネート、イソシアネート及びそれらの混合物から選択される官能基の２つ以上を含むことを特徴とする請求項１又は２に記載の組成物。
【請求項４】
酵素が、ヒドロラーゼ、オキシドレダクターゼ、トランスフェラーゼ、リアーゼ及びイソメラーゼから選択されることを特徴とする請求項１から３のいずれか１つに記載の組成物。
【請求項５】
酵素が、プロテアーゼ、ヘキソースオキシダーゼ、グルコースオキシダーゼ及びアルコールデヒドロゲナーゼ（ＡＤＨ）から選択されることを特徴とする請求項１から４のいずれか１つに記載の組成物。
【請求項６】
プロテアーゼがサブチリシンであることを特徴とする請求項５に記載の組成物。
【請求項７】
組成物が油を基材とした塗料であることを特徴とする請求項１から６のいずれか１つに記載の組成物。
【請求項８】
油を基材とした塗料に添加する前に、架橋酵素結晶又は架橋酵素凝集物を乾燥することを特徴とする請求項７に記載の組成物。
【請求項９】
さらに、組成物は基質を含み、ここで、基質に作用する時、架橋酵素結晶又は架橋酵素凝集物が防汚化合物を生成すること特徴とする請求項１から８のいずれか１つに記載の組成物。
【請求項１０】
さらに、組成物は第１の酵素及び第１の基質を含み、ここで、第１の基質への第１の酵素の作用は、第２の基質を提供し、第２の基質に作用する時、架橋酵素結晶又は架橋酵素凝集物が防汚化合物を生成することを特徴とする請求項１から９のいずれか１つに記載の組成物。
【請求項１１】
表面コーティング物質が、溶剤を基材とした系におけるポリ塩化ビニル樹脂、溶剤を基材とした系における塩化ゴム、溶剤を基材とした系又は水性系におけるアクリル樹脂及びメタクリル樹脂、水性の分散系又は溶剤を基材とした系として塩化ビニル‐酢酸ビニルコポリマー系、ポリビニルメチルエーテル、ブタジエン‐スチレンゴム、ブタジエン‐アクリロニトリルゴム及びブタジエン‐スチレン‐アクリロニトリルゴムのようなブタジエンコポリマー、アマニ油のような乾性油、アルキド樹脂、アスファルト、エポキシ樹脂、ウレタン樹脂、ポリエステル樹脂、フェノール樹脂、天然ロジン、ロジン誘導体、不均化ロジン、部分的重合化ロジン、水素化ロジン、ガムロジン、不均化ガムロジン、非水分散型バインダー系、シリル化アクリレートバインダー系、金属アクリレートバインダー系、誘導体及びそれらの混合物から選択される成分を含むことを特徴とする請求項１から１０のいずれか１つに記載の組成物。
【請求項１２】
防汚組成物の調製方法であって、
（ａ）酵素結晶又は酵素凝集物を調製し、酵素結晶又は酵素凝集物を多官能性架橋剤と反応させ、架橋酵素結晶又は架橋酵素凝集物を生成する工程、
（ｂ）任意に、架橋酵素結晶又は架橋酵素凝集物を乾燥する工程、
（ｃ）任意に、架橋酵素結晶又は架橋酵素凝集物の表面の疎水性を増加させる工程、及び
（ｄ）表面コーティング物質に架橋酵素結晶又は架橋酵素凝集物を添加し、請求項１から１１のうちのいずれか１つに記載の組成物を生成する工程
を含むことを特徴とする方法。
【請求項１３】
汚損を防止するための架橋酵素結晶又は架橋酵素凝集物の使用。
【請求項１４】
バイオフィルム形成によって引き起こされる汚損を防止するための請求項１３に記載の架橋酵素結晶又は架橋酵素凝集物の使用。
【請求項１５】
酵素がヒドロラーゼ、オキシドレダクターゼ、トランスフェラーゼ、リアーゼ及びイソメラーゼから選択されることを特徴とする請求項１３又は１４に記載の架橋酵素結晶又は架橋酵素凝集物の使用。
【請求項１６】
酵素が、プロテアーゼ、ヘキソースオキシダーゼ、グルコースオキシダーゼ及びアルコールデヒドロゲナーゼ（ＡＤＨ）から選択されることを特徴とする請求項１３から１５のいずれか１つに記載の架橋酵素結晶又は架橋酵素凝集物の使用。
【請求項１７】
プロテアーゼがサブチリシンであることを特徴とする請求項１６に記載の架橋酵素結晶又は架橋酵素凝集物の使用。
【請求項１８】
製品を請求項１から１１のいずれか１つに記載の組成物の有効な量で接触させることを含む製品上のバイオフィルム形成を防止する方法。
【請求項１９】
製品に請求項１から１１のいずれか１つに記載の組成物の有効な量を適用することを含む製品上のバイオフィルム形成を防止する方法。
【請求項２０】
請求項１から１１のいずれか１つに記載の組成物を有する製品。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
バインダー系の形態を有するバインダー相と顔料相を含有する、酵素を基剤とする自己研磨型塗料組成物であって、
該顔料相が、(i)多糖および(ii)該多糖に固定されて該多糖の加水分解を促進する酵素を含有する該塗料組成物。
【請求項２】
多糖がデンプンである請求項１に記載の塗料組成物。
【請求項３】
酵素が、アミラーゼ、例えば、α-アミラーゼ、β-アミラーゼ、およびグルコアミラーゼから選択される請求項１または２に記載の塗料組成物。
【請求項４】
多糖が、塗料組成物の固形分体積の１〜３０％を構成する請求項１から３のいずれかに記載の塗料組成物。
【請求項５】
多糖が、顔料相の固形分体積の１〜４０％を構成する請求項１から４のいずれかに記載の塗料組成物。
【請求項６】
酵素と多糖の量比が、多糖１ｇあたり酵素０.０５〜２０００００ミリユニットである請求項１から５のいずれかに記載の塗料組成物。
【請求項７】
バインダー相が、塗料組成物の固形分体積の３０〜８０％を構成し、顔料相が該塗料組成物の固形分体積の２０〜７０％を構成する請求項１から６のいずれかに記載の塗料組成物。
【請求項８】
塗料組成物が、固形分体積で０.０５〜２０％の１種または複数種の防汚剤を含有する請求項１から７のいずれかに記載の塗料組成物。
【請求項９】
請求項１から８のいずれかに記載の塗料組成物の１層または複数層で被覆された海洋構造物。
【請求項１０】
請求項１から８のいずれかに記載された酵素を基剤とする自己研磨型塗料組成物の調製方法であって、
(i)多糖および(ii)該多糖に固定されて該多糖の加水分解を促進する酵素を、バインダー系並びに染料、添加剤、溶媒、顔料、充填剤、繊維および防汚剤から成る群から選択される１種以上の成分と混合させる工程を含む該方法。
【請求項１１】
塗料組成物における、多糖に固定されて該多糖の加水分解を促進する酵素と該多糖の使用であって、該塗料組成物へ自己研磨性を付与する該使用。
【請求項１２】
塗料組成物の自己研磨効果をもたらすための方法であって、多糖と、該多糖に固定されて該多糖の加水分解を促進する酵素とを、該塗料組成物内に配合する工程を含む該方法。
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
弁用手動オーバーライド装置であって、
第１面上に第１継手、および、前記第１面とは反対の第２面上に第２継手を有する手動オペレータと、
雄ねじを有し、アクチュエータのハウジングに結合する第１駆動部材であって、前記手動オペレータの前記第１継手を取り外しできるように受ける第１端部、前記アクチュエータの作動部材に選択的に係合する第２端部、および、前記第１駆動部材の縦軸に沿って通過する孔を備える、第１駆動部材と
前記第１駆動部材に回転可能に結合するために、前記孔の中に配置される第２駆動部材であって、前記作動部材のアクチュエータステムにねじ止めして結合をする第１端部、および、前記手動オペレータの前記第２継手を取り外しできるように受ける第２端部を有する、第２駆動部材と、
を備え、
前記手動オペレータによる第１回転方向への前記第１駆動部材の回転が、第１直線方向へ前記アクチュエータの前記作動部材を移動させ、そして、前記手動オペレータによる第１回転方向への前記第２駆動部材の前記第１駆動部材に対する回転が、前記第１直線方向とは反対の第２直線方向に前記作動部材を移動させる、弁用手動オーバーライド装置。
【請求項２】
前記第２駆動部材が前記第１駆動部材に摺動可能に結合する、請求項１に記載の装置。
【請求項３】
前記手動オペレータの前記第２継手が、前記第２駆動部材の前記第２端部を受けるための孔を有するハブと、前記孔と実質的に垂直な開孔部と、を備える、請求項２に記載の装置。
【請求項４】
前記第２駆動部材の前記第２端部が、前記第２駆動部材が前記第１方向へ回転するときに前記手動オペレータの第２継手に前記第２駆動部材を結合させるピンを受けるために前記第２継手の前記開孔部に位置合わせをされる開孔部を有した、円筒形の本体を備える、請求項３に記載の装置。
【請求項５】
前記円筒形の本体が、前記第２駆動部材が前記手動オペレータを介して前記第１駆動部材に対して回転する際、前記アクチュエータステムの縦軸に沿った前記第２駆動部材の直線移動を妨げるために、前記第１駆動部材の前記第１端部に係合する、請求項４に記載の装置。
【請求項６】
前記手動オペレータの前記第１継手が、前記第１駆動部材の前記第１端部を受けるために、六角形型の開孔部を備える、請求項３に記載の装置。
【請求項７】
前記第１駆動部材の前記第１端部が、六角の形状を備える、請求項６に記載の装置。
【請求項８】
前記第１駆動部材および前記第２駆動部材が、前記アクチュエータステムと実質的に同軸で位置合わせされる、請求項１に記載の装置。
【請求項９】
前記第１駆動部材のねじ山および前記第２駆動部材のねじ山が、同じピッチを有する、請求項１に記載の装置。
【請求項１０】
前記手動オペレータがハンドル車を備える、請求項１に記載の装置。
【請求項１１】
制御弁であって、
請求項１の弁用手動オーバーライド装置と、
ハウジング内に配置された作動部材、および、第１端部で作動部材と結合し第２端部で弁の弁棒と結合したアクチュエータステムを有する、アクチュエータと、
を備え、
前記弁用手動オーバーライド装置は、前記アクチュエータのハウジングに結合されている、制御弁。
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
その中で保管される１つまたは複数のアイテムを受けるための容器キャビティを有するチャイルドレジスタント容器であって、前記容器キャビティは、容器の開状態と容器の閉状態との間でヒンジ式に動くために一方の端部のところで互いにヒンジ式に接続される一対の蓋によって画定され、前記蓋の一方または両方は、前記容器の閉状態に位置決めされるときに前記キャビティを画定するために皿形の本体を有し、前記容器の閉状態において前記蓋を解放可能にロックするための一次ロック手段は、他方の蓋の上にある協働する第２のロック組立体にロック式に係合される一方の蓋の上に第１のロック組立体を含み、前記第１のロック組立体および前記第２のロック組立体の係合解除を手動で作動させるための一次ロック作動手段は、前記一方の蓋の本体内に形成される外側上部が開いているポケットを含み、前記ポケットは、少なくとも部分的において前記ポケットに対してロック位置からロック解除位置まで外側に弾性的に撓むことができるポケット側壁を有し、前記ロック位置にある前記ポケット側壁は、前記第１のロック組立体および前記第２のロック組立体のロックによる係合を維持し、前記ポケット側壁が前記ロック解除位置まで移動することにより前記第１のロック組立体および前記第２のロック組立体が外されてそれにより前記蓋が前記容器の開状態まで移動され得るようになり、前記ポケットは、前記ポケット側壁をそのロック解除位置で撓ませるために作業者の指が前記ポケットに入るのを可能にするような形状および大きさであり、前記蓋を前記容器の閉状態に解放可能にロックする二次ロック手段を含み、前記二次ロック手段が前記一次ロック手段から独立しており、それにより、前記蓋を前記容器の開位置まで移動させるのを可能にするために前記一次ロックおよび前記二次ロックの両方が独立して操作される必要があることを特徴とするチャイルドレジスタント容器。
【請求項２】
前記一次ロック作動手段は、他方のポケットの前記撓み可能な側壁に隣接して位置決めされる一方のポケットの前記撓み可能な側壁に隣り合って位置決めされる一対の前記ポケットを含むことを特徴とする請求項１に記載の容器。
【請求項３】
前記撓み可能な側壁の位置は弾性的に撓み可能な舌部によって形成されることを特徴とする請求項１または２に記載の容器。
【請求項４】
前記第１のロック組立体および前記第２のロック組立体は、ロック式に相互係合される第１の協働するフック形状のラッチ部材および第２の協働するフック形状のラッチ部材をそれぞれ含み、前記第１のラッチ部材は、前記協働する第２のラッチ部材に対して移動可能となるように前記撓み可能なポケット側壁の各々の上に取り付けられ、前記第２のラッチ部材は他方の蓋の上に固定されて取り付けられることを特徴とする請求項２または３に記載の容器。
【請求項５】
作業者が前記容器を開くために両手を使用することが必要となるように、前記二次ロック手段が前記一次ロック手段から独立していることをと特徴とする請求項１ないし４のいずれか一項に記載の容器。
【請求項６】
各蓋は、垂直に立って周囲に延在する側壁によって囲まれる底壁を含み、各蓋の側壁が、前記蓋が前記容器の閉位置にあるときに手動で当接される頂縁部を有することを特徴とする請求項１ないし５のいずれか一項に記載の容器。
【請求項７】
前記頂縁部の各々は、一方の側壁上に外側に延在するフランジを画定しさらに他方の側壁上に内側に延在するフランジを画定するように、段がつけられており、前記外側フランジおよび内側フランジが、前記蓋が前記蓋の間での相対的な横方向の移動に抵抗するように協働するために前記容器の閉位置にあるときに、隣り合って位置決めされることを特徴とする請求項６に記載の容器。
【請求項８】
各蓋は、前記蓋の底壁に対して前記蓋の周囲側壁が内側に撓むのに抵抗するように構成された複数の横方向に延在する補強リブを備えることを特徴とする請求項６または７に記載の容器。
【請求項９】
各蓋において、１つまたは複数の前記補強リブは、前記周囲側壁の前記頂縁部を超えて突出する側部突出部を有し、各側部突出部が、前記蓋の間での相対的な横方向の変位に抵抗するために、前記容器の閉位置にあるときに前記対向する蓋の前記周囲側壁の内側面に面が接触して位置決めされることを特徴とする請求項８に記載の容器。
【請求項１０】
１つまたは両方の蓋の１つまたは複数の補強リブは、物品を前記容器内に収容させるように位置決めして取り付けるためのクレードルを画定するように適合されることを特徴とする請求項８または９に記載の容器。
【手続補正書】
【提出日】平成25年1月16日(2013.1.16)
【手続補正１】
【補正対象書類名】特許請求の範囲
【補正対象項目名】請求項２０
【補正方法】変更
【補正の内容】
【請求項２０】
有効量の請求項１に記載の結晶性（Ｒ）−３−（４−（２−（２−メチルテトラゾール−５−イル）ピリジン−５−イル）−３−フルオロフェニル）−５−ヒドロキシメチルオキサゾリジン−２−オン  リン酸二水素を含む細菌感染治療用医薬組成物。
【手続補正２】
【補正対象書類名】特許請求の範囲
【補正対象項目名】請求項２１
【補正方法】変更
【補正の内容】
【請求項２１】
細菌感染を治療する請求項１４に記載の医薬組成物。
【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
構造Ｉ：
【化９】
2012516899.tif 000001
を有する化合物であって、ここで
Ｒ１、Ｒ２、Ｒ３、およびＲ４のうちの各々は、水素、ヒドロキシル、−Ｏ（ＣＯ）ｎＸ、−Ｏ（ＣＯ）ｎＯＲ５、および−Ｏ（ＣＯ）ｎＮ（Ｒ５）２から独立して選択され、ここでＸは、ハロゲンであり、Ｒ５は、水素もしくは低級アルキルであり、ｎは、１〜２であり、
ただし、Ｒ１、Ｒ２、Ｒ３、およびＲ４のうちの少なくとも３つは、水素であり；
ｍは１〜２であり；
Ｘ２は、ハロゲンであり；そして
Ｘ１はハロゲンでありかつＷはヒドロキシルであるか、またはＸ１およびＷは一緒になって、エポキシ基を形成する、
化合物。
【請求項２】
Ｒ１、Ｒ２、Ｒ３、およびＲ４のうちの各々は、水素である、請求項１に記載の化合物。
【請求項３】
ハロゲンは、ＦもしくはＣｌである、請求項１に記載の化合物。
【請求項４】
ｎ＝１である、請求項１に記載の化合物。
【請求項５】
Ｘ１はハロゲンであり、Ｗはヒドロキシルである、請求項１に記載の化合物。
【請求項６】
Ｘ１はＣｌである、請求項５に記載の化合物。
【請求項７】
ｍ＝１である、請求項１に記載の化合物。
【請求項８】
構造ＩＩ：
【化１０】
2012516899.tif 000002
を有する化合物であって、ここで
Ｒ１、Ｒ２、Ｒ３、およびＲ４のうちの各々は、水素、ヒドロキシル、−Ｏ（ＣＯ）ｎＸ、−Ｏ（ＣＯ）ｎＯＲ５、および−Ｏ（ＣＯ）ｎＮ（Ｒ５）２から独立して選択され、ここでＸは、ハロゲンであり、Ｒ５は水素もしくは低級アルキルであり、ｎは、１〜２であり、ただし、Ｒ１、Ｒ２、Ｒ３、およびＲ４のうちの少なくとも３つは、水素であり；そしてｐは、０〜４である、化合物。
【請求項９】
ｎ＝１である、請求項８に記載の化合物。
【請求項１０】
ハロゲンはＣｌである、請求項８に記載の化合物。
【請求項１１】
Ｒ１、Ｒ２、Ｒ３、およびＲ４のうちの各々は、水素である、請求項８に記載の化合物。
【請求項１２】
ｐ＝０である、請求項８に記載の化合物。
【請求項１３】
有効量の請求項１もしくは請求項８に記載の化合物を含む、免疫抑制をもたらすための組成物であって、該組成物は、このような処置の必要な被験体に、薬学的に受容可能なビヒクル中、投与されることを特徴とする、組成物。
【請求項１４】
細胞におけるアポトーシスを誘導するための組成物であって、該組成物は、有効量の請求項１もしくは請求項８に記載の化合物を含む、組成物。
【手続補正２】
【補正対象書類名】明細書
【補正対象項目名】０００８
【補正方法】変更
【補正の内容】
【０００８】
本発明は、例えば、以下を提供する：
（項目１）
構造Ｉ：
【化９】
2012516899.tif 000003
を有する化合物であって、ここで
Ｒ１、Ｒ２、Ｒ３、およびＲ４のうちの各々は、水素、ヒドロキシル、−Ｏ（ＣＯ）ｎＸ、−Ｏ（ＣＯ）ｎＯＲ５、および−Ｏ（ＣＯ）ｎＮ（Ｒ５）２から独立して選択され、ここでＸは、ハロゲンであり、Ｒ５は、水素もしくは低級アルキルであり、ｎは、１〜２であり、
ただし、Ｒ１、Ｒ２、Ｒ３、およびＲ４のうちの少なくとも３つは、水素であり；
ｍは１〜２であり；
Ｘ２は、ハロゲンであり；そして
Ｘ１はハロゲンでありかつＷはヒドロキシルであるか、またはＸ１およびＷは一緒になって、エポキシ基を形成する、
化合物。
（項目２）
Ｒ１、Ｒ２、Ｒ３、およびＲ４のうちの各々は、水素である、項目１に記載の化合物。
（項目３）
ハロゲンは、ＦもしくはＣｌである、項目１に記載の化合物。
（項目４）
ｎ＝１である、項目１に記載の化合物。
（項目５）
Ｘ１はハロゲンであり、Ｗはヒドロキシルである、項目１に記載の化合物。
（項目６）
Ｘ１はＣｌである、項目５に記載の化合物。
（項目７）
ｍ＝１である、項目１に記載の化合物。
（項目８）
構造ＩＩ：
【化１０】
2012516899.tif 000004
を有する化合物であって、ここで
Ｒ１、Ｒ２、Ｒ３、およびＲ４のうちの各々は、水素、ヒドロキシル、−Ｏ（ＣＯ）ｎＸ、−Ｏ（ＣＯ）ｎＯＲ５、および−Ｏ（ＣＯ）ｎＮ（Ｒ５）２から独立して選択され、ここでＸは、ハロゲンであり、Ｒ５は水素もしくは低級アルキルであり、ｎは、１〜２であり、ただし、Ｒ１、Ｒ２、Ｒ３、およびＲ４のうちの少なくとも３つは、水素であり；そしてｐは、０〜４である、化合物。
（項目９）
ｎ＝１である、項目８に記載の化合物。
（項目１０）
ハロゲンはＣｌである、項目８に記載の化合物。
（項目１１）
Ｒ１、Ｒ２、Ｒ３、およびＲ４のうちの各々は、水素である、項目８に記載の化合物。
（項目１２）
ｐ＝０である、項目８に記載の化合物。
（項目１３）
免疫抑制をもたらす方法であって、該方法は、このような処置の必要な被験体に、薬学的に受容可能なビヒクル中、有効量の項目１もしくは項目８に記載の化合物を投与する工程を包含する、方法。
（項目１４）
細胞におけるアポトーシスを誘導する方法であって、該方法は、該細胞と、有効量の項目１もしくは項目８に記載の化合物とを接触させる工程を包含する、方法。
一局面において、本発明は、免疫抑制治療、抗炎症治療および抗癌治療に有用な化合物を提供する。一実施形態において、上記化合物は、式Ｉ：
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
化学式Ａの化合物であって、
【化１】
2012516845.tif 000001
式中、ＸはＯ又は（ＣＨ2）nであり、
ｎは０又は１である、
化合物、又はその薬理学的に許容可能な塩、溶媒和物、若しくは多形体。
【請求項２】
化学式Ｂである請求項１に記載の化合物、又はその薬理学的に許容可能な塩、溶媒和物、若しくは多形体。
【化２】
2012516845.tif 000002
【請求項３】
化学式Ｃの化合物であって、
【化３】
2012516845.tif 000003
式中、ＸはＯ又はＣＨ2である、
請求項１に記載の化合物、又はその薬理学的に許容可能な塩、溶媒和物、若しくは多形体。
【請求項４】
２，１，３−ベンゾオキサジアゾール−５−イル（３−オキサ−８−アザビシクロ［３．２．１］オクト−８−イル）メタノン、
２，１，３−ベンゾオキサジアゾール−５−イル（３−オキサ−９−アザビシクロ［３．３．１］ノン−９−イル）メタノン、又は
２，１，３−ベンゾオキサジアゾール−５−イル（３，７−ジオキサ−９−アザビシクロ［３．３．１］ノン−９−イル）メタノン、
である、請求項１に記載の化合物。
【請求項５】
請求項１〜４のいずれかに記載の化合物の有効量を、薬学的に受容可能な担体、添加物又は賦形剤と組み合わせて含む医薬組成物。
【請求項６】
前記化合物は、前記医薬組成物の約０．５重量％〜約７５重量％であり、前記担体、添加物又は賦形剤は、前記医薬組成物の約２５％〜約９５．５％である、請求項５に記載の医薬組成物。
【請求項７】
低グルタミン酸作動性状態、又は興奮性シナプスの数若しくは強度あるいはＡＭＰＡ受容体の数における欠乏を患って、記憶若しくは他の認知機能が損なわれている哺乳類対象の治療に使用する薬剤の製造における、請求項１〜４のいずれかに記載の化合物の使用。
【請求項８】
低グルタミン酸作動性状態、又は興奮性シナプスの数若しくは強度あるいはＡＭＰＡ受容体の数における欠乏を患って、統合失調症又は統合失調症様挙動をもたらす皮質／線条体不均衡が生じている哺乳類対象の治療に使用する薬剤の製造における、請求項１〜４のいずれかに記載の化合物の使用。
【請求項９】
統合失調症の治療のための薬剤の製造における、請求項１〜４のいずれかに記載の化合物の使用。
【請求項１０】
パーキンソン病の治療のための薬剤の製造における、請求項１〜４のいずれかに記載の化合物の使用。
【請求項１１】
ＡＤＨＤの治療のための薬剤の製造における、請求項１〜４のいずれかに記載の化合物の使用。
【請求項１２】
レット症候群の治療のための薬剤の製造における、請求項１〜４のいずれかに記載の化合物の使用。
【請求項１３】
認知障害の治療のための薬剤の製造における、請求項１〜４のいずれかに記載の化合物の使用。
【請求項１４】
呼吸関連睡眠障害又は睡眠時無呼吸の治療のための薬剤の製造における、請求項１〜４のいずれかに記載の化合物の使用。
【請求項１５】
脆弱Ｘ症候群の治療のための薬剤の製造における、請求項１〜４のいずれかに記載の化合物の使用。
【請求項１６】
アルツハイマー病の治療のための薬剤の製造における、請求項１〜４のいずれかに記載の化合物の使用。
【請求項１７】
鬱病の治療のための薬剤の製造における、請求項１〜４のいずれかに記載の化合物の使用。
【請求項１８】
双極性障害の治療のための薬剤の製造における、請求項１〜４のいずれかに記載の化合物の使用。
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
医薬品としての血小板富化血漿（ＰＲＰ）と可溶性ヒトトロンボプラスチン（ｓｈＴｆまたは可溶性組織因子）の凝固していない可溶性混合物。
【請求項２】
幹細胞プールを富化するための医薬品を製造するための請求項１に記載の混合物の使用。
【請求項３】
心臓血管疾患の処置および／または防止のための医薬品を製造するための請求項１に記載の混合物の使用。
【請求項４】
前記心臓血管疾患が、心筋症、心臓疾患、冠状動脈疾患、虚血、拡張期機能不全、アテローム性動脈硬化、心筋炎、心内膜炎および／または心筋梗塞からなる群から選択される、請求項３に記載の使用。
【請求項５】
神経学的疾患の処置および／または防止のための医薬品を製造するための請求項１に記載の混合物の使用。
【請求項６】
前記神経学的疾患が、パーキンソン病、アルツハイマー病、ハンチントン病、テイ・サックス病、脊髄傷害、脳卒中、脳血管障害および筋萎縮性側索硬化症（ＡＬＳ）からなる群から選択される、請求項５に記載の使用。
【請求項７】
自己免疫疾患の処置および／または防止のための医薬品を製造するための請求項１に記載の混合物の使用。
【請求項８】
前記自己免疫疾患が、再生不良性貧血、多発性硬化症、関節リウマチ、シェーグレン症候群、１型糖尿病、グレーヴズ病および／またはエリテマトーデスからなる群から選択される、請求項７に記載の使用。
【請求項９】
骨変性疾患の処置および／または防止のための医薬品を製造するための請求項１に記載の混合物の使用。
【請求項１０】
前記骨変性疾患が、骨萎縮、骨粗鬆症、骨再建および骨補強からなる群から選択される、請求項９に記載の使用。
【請求項１１】
前記血小板富化血漿および前記可溶性トロンボプラスチンが哺乳動物対象の骨髄および／または脂肪組織に注入される、請求項２〜１０のいずれかに記載の使用。
【請求項１２】
前記哺乳動物対象がヒト患者である、請求項２〜１１のいずれかに記載の使用。
【請求項１３】
・哺乳動物対象の血漿から自己ＰＲＰを得るための遠心分離デバイス；
・効果的な量の可溶性ヒトトロンボプラスチン（ｓｈＴｆ）またはヒト組織因子であるヒト活性化合物、または前記化合物を含む流体、ただし前記化合物は、好ましくは、リン脂質（より具体的には、ホスファチジルコリン、ホスファチジルセリンおよびホスファチジルエタノールアミン）の添加を伴う；および
・自己ＰＲＰと、ＭＳＣ活性化化合物または前記化合物を含む流体とにおける注入手段；
を含む、構成要素のキット。
【請求項１４】
活性化間葉系幹細胞（ＭＳＣ）が富化された集団を含む骨髄サンプルであって、コロニーを形成する前記間葉系幹細胞（ＭＳＣ）の能力が少なくとも約３０％増大し、かつ／または、少なくとも１３個のコロニー（ＣＦＵ−Ｆ）が、前記骨髄サンプルの１００００００個の単核細胞を培養するときに得られる、骨髄サンプル。
【請求項１５】
ＰＲＰと、可溶性ヒトトロンボプラスチン（ｓｈＴｆまたはヒト組織因子）である凝固因子とを使用する、ヒト胚性でない幹細胞のインビトロ培養のための方法。
【請求項１６】
組織再建のためのゲル組成物であって、可溶性ヒトトロンボプラスチン（ｓｈＴｆ）または組織因子による活性化された濃縮されている自己ＰＲＰ、ヒト胚性でない幹細胞、およびゲル化剤を含むゲル組成物。
【請求項１７】
ビタミン、コルチゾン、コルチゾン誘導体、デキサメタゾンまたはそれらの混合物から選択される補助剤をさらに含む、請求項１６に記載のゲル組成物。
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
（ｉ）ＴＧＦ−β１阻害剤ペプチドと、シクロデキストリンまたはその誘導体とを含んでなる複合体と、（ｉｉ）セチルＰＥＧ／ＰＰＧ−１０／１ジメチコーンとを少なくとも含んでなる医薬組成物であって、
・前記ＴＧＦ−β１阻害剤ペプチドが、配列番号１〜２３の１つのアミノ酸配列に対して少なくとも７０％の配列同一性を有するペプチド、その塩、ＴＧＦ−β１を阻害する能力を有するその機能性誘導体、変異体、類似体または断片から選択されるものであり、かつ
・前記シクロデキストリンまたはその誘導体が、β−シクロデキストリンおよびγ−シクロデキストリンから選択されるものであることを特徴とする、医薬組成物。
【請求項２】
前記β−シクロデキストリンが、モノまたはポリ（Ｃ１−Ｃ６）ヒドロキシアルキル化β−シクロデキストリンである、請求項１に記載の医薬組成物。
【請求項３】
前記ＴＧＦ−β１阻害剤ペプチドが、前記シクロデキストリンに対して約０．００２：１〜約０．０２４：１の重量比で存在するものである、請求項１または２に記載の医薬組成物。
【請求項４】
前記ＴＧＦ−β１阻害剤ペプチドが治療に有効な量で存在し、かつ前記シクロデキストリンが医薬的に許容可能なシクロデキストリンである、請求項１〜３のいずれか一項に記載の医薬組成物。
【請求項５】
前記複合体と、セチルＰＥＧ／ＰＰＧ−１０／１ジメチコーンとがエマルジョンを形成してなる、請求項１〜４のいずれか一項に記載の医薬組成物。
【請求項６】
０．０１％〜１％ｗ／ｗの量のＴＧＦ−β１阻害剤ペプチドと、１％〜１０％ｗ／ｗの量のβ−またはγ−シクロデキストリンと、０．５％〜６％ｗ／ｗの量のセチルＰＥＧ／ＰＰＧ−１０／１ジメチコーンと、０．００５％〜０．６％ｗ／ｗの量のパラベン防腐剤と、３％〜２０％ｗ／ｗの量のシリコーンと、１０％〜４０％ｗ／ｗの量の鉱油と、１００％となるまでの水とを含んでなる、請求項５に記載の医薬組成物。
【請求項７】
（ｉ）ＴＧＦ−β１阻害剤ペプチドと、シクロデキストリンまたはその誘導体とを含んでなる複合体と、（ｉｉ）セチルＰＥＧ／ＰＰＧ−１０／１ジメチコーンとを少なくとも含んでなるエマルジョンであって、
・前記ＴＧＦ−β１阻害剤ペプチドが、配列番号１〜２３の１つのアミノ酸配列に対して少なくとも７０％の配列同一性を有するペプチド、その塩、ＴＧＦ−β１を阻害する能力を有するその機能性誘導体、変異体、類似体または断片から選択されるものであり、かつ
・前記シクロデキストリンまたはその誘導体が、β−シクロデキストリンおよびγ−シクロデキストリンから選択されるものであることを特徴とする、エマルジョン。
【請求項８】
前記ＴＧＦ−β１阻害剤ペプチドが、前記シクロデキストリンに対して約０．００２：１〜約０．０２４：１の重量比で存在するものである、請求項１または２に記載の医薬組成物。
【請求項９】
ａ）（ｉ）ＴＧＦ−β１阻害剤ペプチドと、シクロデキストリンまたはその誘導体とを含んでなる複合体と、（ｉｉ）セチルＰＥＧ／ＰＰＧ−１０／１ジメチコーンを含む親油性相とを調製し、
ｂ）前記複合体を前記親油性相に混和させることを含んでなる、請求項７または８に記載のエマルションを調製するための方法。
【請求項１０】
工程ｂ）の前に、前記複合体および前記親油性相が２５℃〜７０℃の温度で加熱される、請求項９に記載の方法。
【請求項１１】
ＴＧＦ−β１が介在する疾患または状態の治療用薬剤を製造するための、請求項７または８に記載のエマルション、または請求項１〜６のいずれか一項に記載の医薬組成物の使用。
【請求項１２】
請求項７または８に記載のエマルション、または請求項１〜６のいずれか一項に記載の医薬組成物を含んでなる、ＴＧＦ−β１が介在する疾患または状態を治療するための医薬組成物。
【手続補正書】
【提出日】平成25年1月11日(2013.1.11)
【手続補正１】
【補正対象書類名】明細書
【補正対象項目名】００３２
【補正方法】変更
【補正の内容】
【００３２】
非線形性係数は次の各式に従って判定した：
α１（１０μＡ／１ｍＡ） ＝ ｌｏｇ（１＊１０−３／１０＊１０−６）／ｌｏｇ（Ｖ１ｍＡ／Ｖ１０μＡ）
α２（１ｍＡ／１Ａ） ＝ ｌｏｇ（１／１＊１０−３）／ｌｏｇ（Ｖ１Ａ／Ｖ１ｍＡ）
α３（１ｍＡ／２０Ａ） ＝ ｌｏｇ（２０／１＊１０−３）／ｌｏｇ（Ｖ２０Ａ／Ｖ１ｍＡ）
安定性試験は８０％ＡＶＲの条件下で１２５℃で実施した。漏れ電流ＩＬは、この条件のもとでは増加特性を有していないほうがよい。
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
ドリコス  ビフロルス種子のアルコール抽出物または水アルコール抽出物の、皮膚用抗老化剤としての美容的使用。
【請求項２】
皮膚においてドリコス  ビフロルス種子抽出物が皮膚においてコラーゲン生成を促進して作用する請求項１に記載の美容的使用。
【請求項３】
コラーゲンがコラーゲンI、III、IV、V、VI、VII、XII、XIV、XVI、XVIII、XIXおよびそれらの任意の組み合わせからなる群から選択されるコラーゲンである、請求項２に記載の美容的使用。
【請求項４】
コラーゲンがコラーゲンIおよび／またはVである、請求項２または３に記載の美容的使用。
【請求項５】
ドリコス  ビフロルス種子抽出物が、酸化防止剤および／または代謝促進剤として作用する、請求項１〜４のいずれかに記載の美容的使用。
【請求項６】
化粧品組成物においてＵＶ保護因子として使用するための、ドリコス  ビフロルス種子のアルコール抽出物または水アルコール抽出物。